(57)【要約】      （修正有）【課題】低コストで大きな衝撃エネルギーを効率的に吸収することができる電子機器を提供する。【解決手段】弾性部材２２は、筐体１２に接触する第１接触面２３と収容ユニット１７に接触する第２接触面２４との間で湾曲しつつ延びる。第１接触面２３および第２接触面２４が相互に接近するにつれて弾性部材２２の曲率は増大する。筐体１２に外部から衝撃が加わると、弾性部材２２は衝撃エネルギーを吸収する。衝撃吸収の初期段階では、曲率が小さいので弾性部材２２は変形しにくい。大きなばね定数が確保される。単位ストローク当たりで大きな衝撃エネルギーが吸収される。その後、曲率の増大に応じてばね定数は徐々に小さくなる。弾性部材で軟性ばねは実現される。線形ばねおよび硬性ばねに比べて、収容ユニット１７に伝達される衝撃力は低減される。筐体１２および収容ユニット１７の間隔が狭くても、効率的に衝撃エネルギーは吸収される。【選択図】図３
2009187614.tif 000002
【特許請求の範囲】
【請求項１】
筐体と、
筐体に収容される収容ユニットと、
筐体に接触する第１接触面、および、収容ユニットに接触する第２接触面の間で湾曲しつつ延びる弾性部材とを備え、
第１接触面および第２接触面が相互に接近するにつれて弾性部材の曲率は増大することを特徴とする電子機器。
【請求項２】
請求項１に記載の電子機器において、前記第１接触面および前記第２接触面は相互に平行に広がり、前記第１接触面の図心および前記第２接触面の図心は前記第１接触面および前記第２接触面に直交する１直線上に配置されることを特徴とする電子機器。
【請求項３】
請求項２に記載の電子機器において、前記弾性部材は、前記第１接触面および前記第２接触面から等距離に位置する仮想平面に対して面対称に形成されることを特徴とする電子機器。
【請求項４】
請求項３に記載の電子機器において、前記第１接触面および前記第２接触面が相互に接近するにつれて、前記仮想平面に対する前記直線の交点と、前記仮想平面内に規定される前記弾性部材の断面の図心との距離は増大することを特徴とする電子機器。
【請求項５】
請求項４に記載の電子機器において、前記弾性部材は単一素材の成型品から構成されることを特徴とする電子機器。
【請求項６】
請求項５に記載の電子機器において、前記弾性部材の第１接触面および第２接触面はそれぞれ筐体および収容ユニットに固着されることを特徴とする電子機器。
【請求項７】
筐体と、
筐体に収容される収容ユニットと、
筐体および収容ユニットのいずれか一方に接触する第１接触面から湾曲しつつ延びて当該一方に第２接触面で接触し、第１接触面および第２接触面の間に確立される作用点で筐体および収容ユニットのいずれか他方に接触する弾性部材とを備え、
筐体および収容ユニットのいずれか一方が他方に接近するにつれて弾性部材の曲率は減少することを特徴とする電子機器。
【請求項８】
筐体と、
筐体に収容される収容ユニットと、
筐体および収容ユニットのいずれか一方に受け止められて筐体および収容ユニットのいずれか他方に向かって先細りつつ延びる皿ばね形状の弾性部材とを備えることを特徴とする電子機器。
【請求項９】
筐体と、
筐体に収容される収容ユニットと、
筐体および収容ユニットのいずれか一方に固定され、所定の間隔で離れつつ当該一方の表面から直立する１対の弾性支持部材と、
個々の弾性支持部材に連結されて、弾性支持部材から相互に接近する方向に延びる１対の受け片と、
筐体および収容ユニットの他方に連結されて、筐体および収容ユニットが相互に接近する際に受け片に受け止められる押し付け部材と、
筐体および収容ユニットの間に挟み込まれ、筐体および収容ユニットが相互に接近する際に弾性変形する弾性部材とを備え、
筐体および収容ユニットが相互に接近する際に、押し付け部材から受け片に加わる押し付け力が所定値を超えると、弾性支持部材の座屈が引き起こされて押し付け部材は受け片から離脱することを特徴とする電子機器。
【発明の詳細な説明】
【技術分野】
【０００１】
本発明は、例えばハードディスク駆動装置（ＨＤＤ）といった収容ユニットを収容する筐体を備える例えば携帯型の電子機器に関する。
【背景技術】
【０００２】
例えば特許文献１に開示されるように、電子機器の筐体にはＨＤＤが組み込まれる。筐体の内壁面およびＨＤＤの外壁面の間には緩衝部材が配置される。各緩衝部材は、緩衝基材部と、緩衝基材部に一体化される緩衝柔軟部とを備える。緩衝基材部は緩衝柔軟部よりも硬い材料から形成される。外部から筐体に衝撃が加えられると、緩衝基材部が最初に座屈する。その結果、初期段階の衝撃は座屈に基づき吸収される。その後、緩衝柔軟部の弾性変形に基づき残りの衝撃が吸収される。
【特許文献１】特開２００４−３１５０８７号公報
【特許文献２】特開２００２−３５８１４０号公報
【特許文献３】特開２００４−１３９６７０号公報
【発明の開示】
【発明が解決しようとする課題】
【０００３】
特許文献１に記載の緩衝部材は、筐体の内壁面およびＨＤＤの外壁面からそれぞれ直立する。したがって、緩衝基材部が座屈に至るまでに緩衝基材部はつっかい棒として機能する。言い替えれば、座屈に至るまでの衝撃は緩衝基材部で吸収されることができない。こうした衝撃はＨＤＤに加わってしまう。ＨＤＤの破損が懸念される。しかも、緩衝部材は２部材から構成されることから、製造にあたってコストが嵩む。
【０００４】
本発明は、上記実状に鑑みてなされたもので、低コストで大きな衝撃エネルギーを効率的に吸収することができる電子機器を提供することを目的とする。
【課題を解決するための手段】
【０００５】
上記目的を達成するために、第１発明によれば、筐体と、筐体に収容される収容ユニットと、筐体に接触する第１接触面、および、収容ユニットに接触する第２接触面の間で湾曲しつつ延びる弾性部材とを備え、第１接触面および第２接触面が相互に接近するにつれて弾性部材の曲率は増大することを特徴とする電子機器が提供される。
【０００６】
こうした電子機器では、筐体に外部から大きな衝撃が加わると、弾性部材は衝撃エネルギーを吸収する。このとき、衝撃吸収の初期段階では、弾性部材の曲率が小さいので弾性部材は変形しにくい。大きなばね定数が確保される。単位ストローク当たりで大きな衝撃エネルギーが吸収される。その後、弾性部材の曲率は増大する。ばね定数は徐々に小さくなる。こうして軟性ばねは実現される。こういった軟性ばねによれば、線形ばねおよび硬性ばねに比べて、収容ユニットに伝達される衝撃力は低減される。筐体および収容ユニットの間隔が狭くても、効率的に衝撃エネルギーは吸収される。
【０００７】
前記第１接触面および第２接触面は相互に平行に広がり、第１接触面の図心および第２接触面の図心は第１接触面および第２接触面に直交する１直線上に配置される。このとき、前記弾性部材は、前記第１接触面および第２接触面から等距離に位置する仮想平面に対して面対称に形成される。こうした電子機器では、前記第１接触面および前記第２接触面が相互に接近するにつれて、前記仮想平面に対する前記直線の交点と、前記仮想平面内に規定される前記弾性部材の断面の図心との距離は増大する。前記弾性部材は単一素材の成型品から構成される。その結果、弾性部材は低コストで製造される。前記弾性部材の第１接触面および第２接触面はそれぞれ筐体および収容ユニットに固着される。
【０００８】
第２発明によれば、筐体と、筐体に収容される収容ユニットと、筐体および収容ユニットのいずれか一方に接触する第１接触面から湾曲しつつ延びて当該一方に第２接触面で接触し、第１接触面および第２接触面の間に確立される作用点で筐体および収容ユニットのいずれか他方に接触する弾性部材とを備え、筐体および収容ユニットのいずれか一方が他方に接近するにつれて弾性部材の曲率は減少することを特徴とする電子機器が提供される。
【０００９】
こうした電子機器では、前述と同様に、筐体に外部から大きな衝撃が加わると、弾性部材は衝撃エネルギーを吸収する。このとき、衝撃吸収の初期段階では、弾性部材の曲率が小さいので弾性部材は変形しにくい。大きなばね定数が確保される。単位ストローク当たりで大きな衝撃エネルギーが吸収される。その後、弾性部材の曲率は増大する。ばね定数は徐々に小さくなる。こうして軟性ばねは実現される。こういった軟性ばねによれば、線形ばねおよび硬性ばねに比べて、収容ユニットに伝達される衝撃力は低減される。筐体および収容ユニットの間隔が狭くても、効率的に衝撃エネルギーは吸収される。
【００１０】
前記弾性部材は、前記第１接触面の図心および第２接触面の図心から等距離に位置する仮想平面に対して面対称に形成される。このとき、前記弾性部材は単一素材の成型品から構成される。前記弾性部材の第１接触面は前記一方に固定され、前記弾性部材の第２接触面は前記一方にスライド自在に受け止められる。
【００１１】
第３発明によれば、筐体と、筐体に収容される収容ユニットと、筐体および収容ユニットのいずれか一方に受け止められて筐体および収容ユニットのいずれか他方に向かって先細りつつ延びる皿ばね形状の弾性部材とを備えることを特徴とする電子機器が提供される。このとき、前記弾性部材は単一素材の成型品から構成される。
【００１２】
こうした電子機器では、前述と同様に、筐体に外部から大きな衝撃が加わると、弾性部材は衝撃エネルギーを吸収する。このとき、衝撃吸収の初期段階では、弾性部材は皿ばね形状を維持する。弾性部材は変形しにくい。大きなばね定数が確保される。単位ストローク当たりで大きな衝撃エネルギーが吸収される。その後、弾性部材は座屈する。ばね定数は徐々に小さくなる。こうして軟性ばねは実現される。こういった軟性ばねによれば、線形ばねおよび硬性ばねに比べて、収容ユニットに伝達される衝撃力は低減される。筐体および収容ユニットの間隔が狭くても、効率的に衝撃エネルギーは吸収される。
【００１３】
第４発明によれば、筐体と、筐体に収容される収容ユニットと、筐体および収容ユニットのいずれか一方に固定され、所定の間隔で離れつつ当該一方の表面から直立する１対の弾性支持部材と、個々の弾性支持部材に連結されて、弾性支持部材から相互に接近する方向に延びる１対の受け片と、筐体および収容ユニットの他方に連結されて、筐体および収容ユニットが相互に接近する際に受け片に受け止められる押し付け部材と、筐体および収容ユニットの間に挟み込まれ、筐体および収容ユニットが相互に接近する際に弾性変形する弾性部材とを備え、筐体および収容ユニットが相互に接近する際に、押し付け部材から受け片に加わる押し付け力が所定値を超えると、弾性支持部材の座屈が引き起こされて押し付け部材は受け片から離脱することを特徴とする電子機器が提供される。
【００１４】
こうした電子機器では、外部から衝撃が加わると、押し付け部材は受け片に受け止められる。こうして衝撃吸収の初期段階で大きな衝撃エネルギーが吸収される。押し付け部材の押し付け力が所定値を超えると、弾性支持部材の座屈に基づき押し付け部材の移動が許容される。こうして残りの衝撃エネルギーは弾性部材で吸収される。その結果、弾性部材、押し付け部材、弾性支持部材および受け片で軟性ばねが確立される。その結果、線形ばねや硬性ばねに比べて、収容ユニットに伝達される衝撃力は低減される。筐体および収容ユニットの間隔が狭くても、効率的に衝撃エネルギーは吸収される。
【００１５】
こういった電子機器では、前記受け片は、前記押し付け部材の移動方向に直交する平面内に規定される揺動軸回りで揺動自在に前記弾性支持部材に連結され、筐体および収容ユニットが相互に接近する際に前記押し付け部材が受け片に受け止められると揺動軸回りに受け片の第１方向の揺動は規制され、筐体および収容ユニットが相互に離される際に前記押し付け部材が受け片に接触すると揺動軸回りに第１方向に反対向きの第２方向に受け片の揺動は許容されればよい。前記弾性支持部材、前記受け片および前記押し付け部材は一体化されてもよい。
【発明の効果】
【００１６】
以上のように本発明によれば、低コストで大きな衝撃エネルギーを効率的に吸収することができる電子機器を提供することができる。
【発明を実施するための最良の形態】
【００１７】
以下、添付図面を参照しつつ本発明の一実施形態を説明する。
【００１８】
図１は本発明の一実施形態に係る電子機器すなわち携帯型の音楽プレイヤー１１の外観を示す。音楽プレイヤー１１は、後述される収容ユニットを収容する筐体１２を備える。筐体１２にはディスプレイパネル１３や操作片１４が組み込まれる。ディスプレイパネル１３には例えば録音された音楽の曲番号やその他の情報が表示される。使用者は操作片１４の操作に基づき音楽プレイヤー１１に音楽を格納することができる。使用者は操作片１４の操作に基づき選曲することができる。
【００１９】
図２は本発明の第１実施形態に係る音楽プレイヤー１１の構造を概略的に示す。筐体１２は、例えば直方体の内部空間すなわち収容空間を規定するベース１５と、ベース１５の開口に結合されるカバー１６とを備える。カバー１６がベース１５の開口に結合されると、筐体１２の収容空間は密閉される。筐体１２の収容空間には直方体形状の収容ユニットすなわちハードディスク駆動装置（ＨＤＤ）１７が収容される。ＨＤＤ１７には磁気ディスクが収容される。磁気ディスクの回転軸は、ベース１５の底板やカバー１６に直交する方向に規定される。
【００２０】
ＨＤＤ１７のコネクタ（図示されず）にはコネクタ１８が接続される。コネクタ１８にはフレキシブルプリント基板１９の一端が連結される。フレキシブルプリント基板１９の他端にはコネクタ（図示されず）が連結される。コネクタは、筐体１２に収容されるマザーボード（図示されず）上のコネクタに接続される。こうしてＨＤＤ１７にはマザーボードから電力が供給される。電力の供給に基づきＨＤＤ１７は駆動される。
【００２１】
ＨＤＤ１７が収容空間に収容されると、ＨＤＤ１７の各側面はベース１５の内壁面に向き合わせられる。ＨＤＤ１７の各側面およびベース１５の内壁面の間には例えば直方体形状の第１弾性部材２１が挟み込まれる。第１弾性部材２１の一端面はＨＤＤ１７の各側面に例えば接着剤で固着される。第１弾性部材２１の他端面はベース１５の内壁面に受け止められる。第１弾性部材２１の他端面はベース１５に固着されない。第１弾性部材２１は、比較的に柔らかい単一素材の弾性体の成型品から構成される。第１弾性部材２１は、磁気ディスクの回転軸に直交する方向に作用する衝撃を吸収することができる。
【００２２】
ＨＤＤ１７の底面はベース１５の底板に向き合わせられる。ＨＤＤ１７の上面はカバー１６に向き合わせられる。図３を併せて参照し、ＨＤＤ１７の底面およびベース１５の底板の間には複数の第２弾性部材２２が挟み込まれる。同様に、ＨＤＤ１７の上面およびカバー１６の間には複数の第２弾性部材２２が挟み込まれる。第２弾性部材２２はＨＤＤ１７の上面および底面でその四隅に隣接して配置されればよい。こうして磁気ディスクの回転軸の向きに応じてＨＤＤ１７には異なる弾性部材が配置される。
【００２３】
第２弾性部材２２はベース１５やカバー１６に第１接触面２３で接触する。同様に、第２弾性部材２２はＨＤＤ１７に第２接触面２４で接触する。第１接触面２３および第２接触面２４は相互に平行に広がる。第１接触面２３および第２接触面２４の間で第２弾性部材２２は例えば円弧に沿って湾曲しつつ延びればよい。円弧は、第１接触面２３や第２接触面２４に平行な第２弾性部材２２の各断面の図心で規定される。
【００２４】
第２弾性部材２２は第１接触面２３でベース１５やカバー１６に固着される。第２弾性部材２２は第２接触面２４でＨＤＤ１７に固着される。固着にあたって例えば接着剤が用いられればよい。第２弾性部材２２は単一素材の弾性体の成型品から構成される。弾性体には例えば熱可塑性樹脂製のゲルや熱硬化性樹脂製のゴムが含まれる。
【００２５】
図４に示されるように、第２弾性部材２２では、第１接触面２３の図心Ｇ１および第２接触面２４の図心Ｇ２は、第１接触面２３および第２接触面２４に直交する１直線Ｌ上に配置される。直線Ｌは磁気ディスクの回転軸に平行に規定される。その一方で、第２弾性部材２２は、第１接触面２３および第２接触面２４から等距離に位置する仮想平面Ｐに対して面対称に形成される。仮想平面Ｐは、ベース１５の底板やカバー１６、ＨＤＤ１７の上面や底面に平行に広がる。仮想平面Ｐに対して直線Ｌは交点Ｎで交差する。仮想平面Ｐ内には第２弾性部材２２の断面の図心Ｇ３が規定される。
【００２６】
こういった第２弾性部材２２は、第１接触面２３および第２接触面２４が相互に接近するにつれて曲率を増大させる。こうして第２弾性部材２２では非線形ばねすなわち軟性ばねが確立される。図５に示されるように、変形量すなわちストロークが一定の場合、硬性ばねや線形ばねに比べて軟性ばねは衝撃を最も吸収することができる。衝撃吸収の初期段階では第２弾性部材２２は変形しにくい。大きなばね定数が確保される。単位ストローク当たりで大きな衝撃エネルギーが吸収される。その後、衝撃を吸収するにつれてばね定数は徐々に小さくなる。
【００２７】
いま、例えば落下に基づき音楽プレイヤー１１に外部から大きな衝撃が加わる場面を想定する。図６に示されるように、例えばカバー１６の表面に直交する方向すなわち磁気ディスクの回転軸に平行な方向に音楽プレイヤー１１に衝撃荷重Ｆが作用すると、カバー１６およびＨＤＤ１７は相互に近づく。第２弾性部材２２には第１接触面２３および第２接触面２４を相互に接近させる圧縮力Ｃが加わり始める。圧縮力Ｃの作用と同時に、第２弾性部材２２では曲げ応力が確立される。曲げ応力が確立されると、第２弾性部材２２は原形から弾性変形していく。
【００２８】
衝撃吸収の初期段階では、第２弾性部材２２の曲率は小さいことから、第２弾性部材２２は変形しにいく。大きなばね定数が確保される。単位ストローク当たりで大きな衝撃エネルギーが吸収される。その後、図７に示されるように、第２弾性部材２２の変形量の増大に応じて第２弾性部材２２の曲率は増大していく。交点Ｐおよび図心Ｇ３の距離は増大していく。ばね定数は徐々に小さくなる。こうして第２弾性部材２２は残りの衝撃エネルギーを吸収していく。その後、衝撃の反動でＨＤＤ１７およびカバー１６は相互に引き離される。第２弾性部材２２は弾性復元力に基づき原形に復帰する。
【００２９】
以上のような音楽プレイヤー１１では、第２弾性部材２２は第１接触面２３および第２接触面２４の間で湾曲しつつ延びることから、第２弾性部材２２は比較的に簡単に弾性変形し始める。ただし、衝撃吸収の初期段階では第２弾性部材２２の曲率は小さいことから、大きな衝撃エネルギーが吸収される。その後、曲率の増大に応じて第２弾性部材２２は衝撃エネルギーを吸収していく。こうして第２弾性部材２２で軟性ばねが確立されることから、線形ばねや硬性ばねに比べて、ＨＤＤ１７に伝達される衝撃力は低減される。筐体１２およびＨＤＤ１７の間隔が狭くても、効率的に衝撃エネルギーは吸収される。しかも、第２弾性部材２２は単一素材の成型品から構成されることから、低コストで製造される。
【００３０】
図８は本発明の第２実施形態に係る音楽プレイヤー１１ａの構造を概略的に示す。この音楽プレイヤー１１ａには第２弾性部材２２に代えて第２弾性部材２２ａが組み込まれる。第２弾性部材２２ａは、ＨＤＤ１７に接触する第１接触面２３から例えば円弧に沿って湾曲しつつ延びて第２接触面２４でＨＤＤ１７に接触する。第１接触面２３および第２接触面２４は同一の仮想平面内で広がる。第２弾性部材２２ａは例えば接着剤に基づき第１接触面２３でＨＤＤ１７に固着される。第２接触面２４はＨＤＤ１７に固着されない。その結果、第２接触面２４はＨＤＤ１７にスライド自在に受け止められる。
【００３１】
図９に示されるように、第２弾性部材２２ａでは、第１接触面２３および第２接触面２４の間に確立される作用点Ａでベース１５やカバー１６に接触する。第２弾性部材２２ａは、第１接触面２３の図心Ｇ１および第２接触面２４の図心Ｇ２から等距離に位置する仮想平面Ｐに対して面対称に形成される。作用点Ａは仮想平面内に規定される。こうした第２弾性部材２２ａは前述の第２弾性部材２２と同様の単一素材の成型品から構成される。第２弾性部材２２ａでは軟性ばねの特性が確立される。その他、前述の音楽プレイヤー１１と均等な構成や構造には同一の参照符号が付される。
【００３２】
いま、例えば落下に基づき音楽プレイヤー１１ａに外部から大きな衝撃が加わる場面を想定する。磁気ディスクの回転軸に平行な方向に音楽プレイヤー１１ａに衝撃荷重Ｆが作用すると、カバー１６およびＨＤＤ１７は相互に近づく。ＨＤＤ１７に向けて作用点Ａを接近させる押し潰し力Ｃが加わり始める。押し潰し力Ｃの作用と同時に、第２弾性部材２２ａ内で曲げ応力が確立される。曲げ応力が確立されると、第２弾性部材２２ａは原形から弾性変形していく。第２弾性部材２２ａの第２接触面２４はＨＤＤ１７上をスライドしていく。
【００３３】
衝撃吸収の初期段階では第２弾性部材２２ａの曲率は小さいことから、第２弾性部材２２ａは変形しにいく。大きなばね定数が確保される。単位ストローク当たりで大きな衝撃エネルギーが吸収される。その後、図１０に示されるように、第２弾性部材２２ａの変形量の増大に応じて第２接触面２４はＨＤＤ１７上をスライドしていく。第２弾性部材２２ａの曲率は増大していく。ばね定数は徐々に小さくなる。こうして第２弾性部材２２ａは残りの衝撃エネルギーを吸収していく。その後、衝撃の反動でＨＤＤ１７およびカバー１６は相互に引き離される。第２弾性部材２２ａは弾性復元力に基づき原形に復帰する。
【００３４】
以上のような音楽プレイヤー１１ａでは、第２弾性部材２２ａは第１接触面２３および第２接触面２４の間で湾曲しつつ延びることから、第２弾性部材２２ａは比較的に簡単に弾性変形し始める。ただし、衝撃吸収の初期段階では第２弾性部材２２ａの曲率は小さいことから、大きな衝撃エネルギーが吸収される。その後、曲率の増大に応じて第２弾性部材２２ａは残りの衝撃エネルギーを吸収していく。こうして第２弾性部材２２ａで軟性ばねが確立されることから、線形ばねや硬性ばねに比べて、ＨＤＤ１７に伝達される衝撃力は低減される。筐体１２およびＨＤＤ１７の間隔が狭くても、効率的に衝撃エネルギーは吸収される。しかも、第２弾性部材２２ａは単一素材の成型品から構成されることから、低コストで製造される。
【００３５】
図１１は本発明の第３実施形態に係る音楽プレイヤー１１ｂの構造を概略的に示す。この音楽プレイヤー１１ｂには第２弾性部材２２、２２ａに代えて第２弾性部材２２ｂが組み込まれる。第２弾性部材２２ｂは皿ばね形状を有する。第２弾性部材２２ｂは円錐台形の輪郭を規定する。第２弾性部材２２ｂでは上端から下端に貫通する空間が規定される。第２弾性部材２２ｂは単一素材の弾性体の成型品から構成される。弾性体には前述と同様に例えば熱可塑性樹脂製のゲルや熱硬化性樹脂製のゴムが含まれる。第２弾性部材２２ｂでは軟性ばねの特性が確立される。
【００３６】
図１２を併せて参照し、第２弾性部材２２ｂは環状の第１接触面２３でＨＤＤ１７の上面や底面に固着される。固着にあたって接着剤が用いられる。第２弾性部材２２ｂはＨＤＤ１７からベース１５やカバー１６に向かって先細る。第２弾性部材２２ｂは環状の第２接触面２４でベース１５やカバー１６に受け止められる。第２弾性部材２２ｂの第２接触面２４はベース１５やカバー１６に固着されない。第１接触面２３および第２接触面２４は相互に平行に広がる。その他、前述の第２弾性部材２２、２２ａと均等な構成や構造には同一の参照符号が付される。
【００３７】
いま、例えば落下に基づき音楽プレイヤー１１ｂに外部から大きな衝撃が加わる場面を想定する。磁気ディスクの回転軸に平行な方向に音楽プレイヤー１１ｂに衝撃荷重Ｆが作用すると、ＨＤＤ１７に向けてカバー１６を接近させる押し潰し力Ｃが加わり始める。押し潰し力Ｃの作用と同時に、第２弾性部材２２ｂで曲げ応力が確立される。曲げ応力が確立されると、第２弾性部材２２ｂは原形から弾性変形していく。
【００３８】
第２弾性部材２２ｂは皿ばね形状を有することから、衝撃吸収の初期段階で第２弾性部材２２ｂは変形しにいく。大きなばね定数が確保される。単位ストローク当たりで大きな衝撃エネルギーが吸収される。その後、図１３に示されるように、第２弾性部材２２ｂでは座屈が引き起こされる。第２弾性部材２２ｂは外側に向かって膨らみつつ湾曲していく。ばね定数は徐々に小さくなる。こうして第２弾性部材２２ｂは残りの衝撃エネルギーを吸収していく。その後、衝撃の反動でＨＤＤ１７およびカバー１６は相互に引き離される。こうして第２弾性部材２２ｂは弾性復元力に基づき原形に復帰する。
【００３９】
以上のような音楽プレイヤー１１ｂでは、第２弾性部材２２ｂは皿ばね形状を有することから、衝撃吸収の初期段階で大きな衝撃エネルギーが吸収される。その後、第２弾性部材２２ｂでは座屈が引き起こされる。その後、曲率の増大に応じて第２弾性部材２２ｂは残りの衝撃エネルギーを吸収していく。こうして第２弾性部材２２ｂで軟性ばねが確立されることから、線形ばねや硬性ばねに比べて、ＨＤＤ１７に伝達される衝撃力は低減される。筐体１２およびＨＤＤ１７の間隔が狭くても、効率的に衝撃エネルギーは吸収される。しかも、第２弾性部材２２ｂは単一素材の成型品から構成されることから、低コストで製造される。
【００４０】
以上のような音楽プレイヤー１１、１１ａ、１１ｂでは、第１弾性部材２１は前述の第２弾性部材２２、２２ａ、２２ｂと同様に構成されてもよい。その他、第２弾性部材２２ａの第１接触面２３および第２接触面２４はベース１５やカバー１６に受け止められてもよい。第２弾性部材２２ａの第１接触面２３はベース１５やカバー１６に固着される。第２弾性部材２２ａは作用点ＡでＨＤＤ１７に接触すればよい。同様に、第２弾性部材２２ｂは第１接触面２３でベース１５やカバー１６に受け止められてもよい。このとき、第２弾性部材２２ｂの第１接触面２３はベース１５やカバー１６に固着されればよい。
【００４１】
図１４は本発明の第４実施形態に係る音楽プレイヤー１１ｃの構造を概略的に示す。この音楽プレイヤー１１ｃでは、ＨＤＤ１７とベース１５やカバー１６との間に例えば直方体形状の弾性部材３１が挟み込まれる。弾性部材３１はＨＤＤ１７の上面および底面でその四隅に配置される。弾性部材３１は一端面でＨＤＤ１７に固着される。固着にあたって接着剤が用いられればよい。弾性部材３１の他端面はベース１５やカバー１６に受け止められる。弾性部材３１の他端面はベース１５やカバー１６に固着されない。
【００４２】
弾性部材３１は前述の第１弾性部材２１と同様に比較的に柔らかい単一素材の弾性体の成型品から構成される。こうした弾性部材３１や第１弾性部材２１の共振周波数は比較的に小さい。その一方で、ＨＤＤ１７の振動の共振周波数は比較的に高い。その結果、例えば音楽プレイヤー１１ｃに比較的に小さな衝撃が加わる際にＨＤＤ１７が振動しても、弾性部材３１や第１弾性部材２１はＨＤＤ１７の振動を効果的に吸収することができる。こうしてＨＤＤ１７の振動は効果的に抑制される。
【００４３】
ＨＤＤ１７には各弾性部材３１に隣接して押し付け部材３２が連結される。図１５を併せて参照し、押し付け部材３２は、ＨＤＤ１７の上面や底面から直立する例えば円柱状の本体３３と、本体３３の先端に一体化されるフランジ３４とを備える。押し付け部材３２は本体３３の基端で例えば接着材に基づきＨＤＤ１７に固着される。フランジ３４は本体３３の径よりも大きい径を有する。こうした押し付け部材３２は例えばプラスチックや金属材料から成形されればよい。
【００４４】
各押し付け部材３２には１対の弾性支持部材３５、３５が関連づけられる。弾性支持部材３５は所定の間隔で離れつつベース１５の底板の表面やカバー１６の内向き面から直立する。弾性支持部材３５は例えばゴムよりも硬い弾性体から形成される。こうして弾性支持部材３５は弾性変形を許容する。個々の弾性支持部材３５の先端には所定の揺動軸Ｘ回りで揺動自在に受け片３６が連結される。１対の受け片３６、３６は弾性支持部材３５、３５から相互に接近する方向に突き出る。受け片３６は例えばプラスチック樹脂や金属材料から成形される。押し付け部材３２のフランジ３４および受け片３６、３６の間には所定の隙間が規定される。
【００４５】
揺動軸Ｘは、押し付け部材３２の軸心方向に直交する平面内に規定される。受け片３６が基準位置に位置決めされると、受け片３６は水平姿勢を保持する。水平姿勢では揺動軸Ｘ回りで第１方向Ｄ１に向かう受け片３６の揺動は規制される。その一方で、水平姿勢から揺動軸Ｘ回りで第１方向Ｄ１に反対向きの第２方向Ｄ２に向かう受け片３６の揺動は許容される。受け片３６の揺動範囲は所定の範囲に設定される。すなわち、受け片３６は後述の揺動位置まで揺動することができる。こうして受け片３６は所定の揺動範囲内で第１方向Ｄ１および第２方向Ｄ２に揺動することができる。
【００４６】
いま、磁気ディスクの回転軸に平行な方向に音楽プレイヤー１１ｃに衝撃荷重Ｆが加わると、ベース１５やカバー１６とＨＤＤ１７とは相互に接近する。弾性部材３１には押し潰し力が加わり始める。弾性部材３１は押し潰される。同時に、図１６に示されるように、押し付け部材３２はその軸心に沿って移動する。押し付け部材３２はフランジ３４で１対の受け片３６に接触する。基準位置では第１方向Ｄ１に受け片３６の揺動は規制されることから、受け片３６、３６は押し付け部材３２を受け止める。押し付け部材３２は所定の押し付け力で受け片３６、３６に押し付けられる。その結果、衝撃吸収の初期段階で大きな衝撃エネルギーが吸収される。
【００４７】
押し付け部材３２から受け片３６に加わる押し付け力が所定値を超えると、図１７に示されるように、押し付け部材３２の押し付け力に基づき弾性支持部材３５、３５の座屈が引き起こされる。受け片３６、３６は相互に遠ざけられる。押し付け部材３２は受け片３６、３６から離脱する。その軸心に沿って押し付け部材３２の移動は許容される。弾性部材３１は一層押し潰される。その結果、図１８に示されるように、押し付け部材３２のフランジ３４は受け片３６、３６よりもＨＤＤ１７に接近する。こうして弾性部材３１は残りの衝撃エネルギーを吸収することができる。その後、反動に基づき弾性支持部材３５の座屈は解消される。受け片３６、３６は基準位置に復帰する。
【００４８】
衝撃の反動でＨＤＤ１７とベース１５やカバー１６とは相互に離される。その軸心に沿って前述とは反対向きに押し付け部材３２は移動する。図１９に示されるように、押し付け部材３２のフランジ３４は受け片３６、３６に接触する。その結果、受け片３６は揺動軸Ｘ回りで第２方向Ｄ２に揺動位置に向かって揺動する。その軸心に沿って押し付け部材３２の移動は許容される。押し付け部材３２のフランジ３４が受け片３６、３６よりもベース１５から遠ざかると、受け片３６、３６は反動に基づき揺動軸Ｘ回りで第１方向Ｄ１に揺動する。受け片３６、３６は基準位置に復帰する。
【００４９】
以上のような音楽プレイヤー１１ｃでは、衝撃荷重Ｆが加わり始めると、押し付け部材３２は受け片３６、３６に受け止められる。受け片３６の揺動は規制される。こうして衝撃吸収の初期段階で大きな衝撃エネルギーが吸収される。押し付け部材３２の押し付け力が所定値を超えると、弾性支持部材３５の座屈に基づき押し付け部材３２の移動が許容される。こうして残りの衝撃エネルギーは弾性部材３１で吸収される。その結果、弾性部材３１、押し付け部材３２、弾性支持部材３５および受け片３６で軟性ばねが確立される。その結果、線形ばねや硬性ばねに比べて、ＨＤＤ１７に伝達される衝撃力は低減される。筐体１２およびＨＤＤ１７の間隔が狭くても、効率的に衝撃エネルギーは吸収される。
【００５０】
図２０に示されるように、音楽プレイヤー１１ｃでは、前述の押し付け部材３２、弾性支持部材３５および受け片３６は比較的に硬い弾性体から一体的に成形されてもよい。押し付け部材３２および弾性支持部材３５は連結片３７で相互に連結されればよい。連結片３７は押し付け部材３２および弾性支持部材３５に一体化される。弾性支持部材３５および受け片３６の間には押し付け部材３２の軸心方向に直交する平面に沿って切れ込み３８が形成される。切れ込み３８の働きで受け片３６は所定の揺動範囲で揺動することができる。その他、前述と均等な構成や構造には同一の参照符号が付される。
【００５１】
いま、磁気ディスクの回転軸に平行な方向に音楽プレイヤー１１ｃに衝撃荷重Ｆが加わると、図２１に示されるように、その軸心に沿って押し付け部材３２は移動する。押し付け部材３２のフランジ３４が受け片３６、３６に接触しても、前述と同様に、揺動軸Ｘ回りで第１方向Ｄ１に受け片３６の揺動は規制される。押し付け部材３２から受け片３６、３６に加わる押し付け力が所定値を超えると、図２２に示されるように、弾性支持部材３５、３５に座屈が引き起こされる。押し付け部材３２のフランジ３４は受け片３６、３６から離脱する。その軸心に沿って押し付け部材３２は移動する。フランジ３４は受け片３６、３６よりもベース１５やカバー１６に接近する。
【００５２】
その後、反動で受け片３６、３６は基準位置に復帰する。その軸心に沿って押し付け部材３２は反対向きに移動する。その結果、図２３に示されるように、押し付け部材３２のフランジ３４は受け片３６、３６に接触する。図２４に示されるように、揺動軸Ｘ回りで第２方向Ｄ２に受け片３６は揺動する。受け片３６は揺動位置に位置決めされる。押し付け部材３２は受け片３６、３６から離脱する。フランジ３４は受け片３６、３６よりもベース１５やカバー１６から遠ざかる。受け片３６、３６の揺動範囲は所定の範囲に設定されることから、揺動軸Ｘ回りで第１方向Ｄ１に受け片３６は揺動する。受け片３６は基準位置に復帰する。こうして前述と同様の作用効果が実現される。
【００５３】
（付記１）  筐体と、筐体に収容される収容ユニットと、筐体に接触する第１接触面、および、収容ユニットに接触する第２接触面の間で湾曲しつつ延びる弾性部材とを備え、第１接触面および第２接触面が相互に接近するにつれて弾性部材の曲率は増大することを特徴とする電子機器。
【００５４】
（付記２）  付記１に記載の電子機器において、前記第１接触面および第２接触面は相互に平行に広がり、第１接触面の図心および第２接触面の図心は第１接触面および第２接触面に直交する１直線上に配置されることを特徴とする電子機器。
【００５５】
（付記３）  付記２に記載の電子機器において、前記弾性部材は、前記第１接触面および第２接触面から等距離に位置する仮想平面に対して面対称に形成されることを特徴とする電子機器。
【００５６】
（付記４）  付記３に記載の電子機器において、前記第１接触面および前記第２接触面が相互に接近するにつれて、前記仮想平面に対する前記直線の交点と、前記仮想平面内に規定される前記弾性部材の断面の図心との距離は増大することを特徴とする電子機器。
【００５７】
（付記５）  付記４に記載の電子機器において、前記弾性部材は単一素材の成型品から構成されることを特徴とする電子機器。
【００５８】
（付記６）  付記５に記載の電子機器において、前記弾性部材の第１接触面および第２接触面はそれぞれ筐体および収容ユニットに固着されることを特徴とする電子機器。
【００５９】
（付記７）  筐体と、筐体に収容される収容ユニットと、筐体および収容ユニットのいずれか一方に接触する第１接触面から湾曲しつつ延びて当該一方に第２接触面で接触し、第１接触面および第２接触面の間に確立される作用点で筐体および収容ユニットのいずれか他方に接触する弾性部材とを備え、筐体および収容ユニットのいずれか一方が他方に接近するにつれて弾性部材の曲率は減少することを特徴とする電子機器。
【００６０】
（付記８）  付記７に記載の電子機器において、前記弾性部材は、前記第１接触面の図心および第２接触面の図心から等距離に位置する仮想平面に対して面対称に形成されることを特徴とする電子機器。
【００６１】
（付記９）  付記８に記載の電子機器において、前記弾性部材は単一素材の成型品から構成されることを特徴とする電子機器。
【００６２】
（付記１０）  付記７に記載の電子機器において、前記弾性部材の第１接触面は前記一方に固定され、前記弾性部材の第２接触面は前記一方にスライド自在に受け止められることを特徴とする電子機器。
【００６３】
（付記１１）  筐体と、筐体に収容される収容ユニットと、筐体および収容ユニットのいずれか一方に受け止められて筐体および収容ユニットのいずれか他方に向かって先細りつつ延びる皿ばね形状の弾性部材とを備えることを特徴とする電子機器。
【００６４】
（付記１２）  付記１１に記載の電子機器において、前記弾性部材は単一素材の成型品から構成されることを特徴とする電子機器。
【００６５】
（付記１３）  筐体と、筐体に収容される収容ユニットと、筐体および収容ユニットのいずれか一方に固定され、所定の間隔で離れつつ当該一方の表面から直立する１対の弾性支持部材と、個々の弾性支持部材に連結されて、弾性支持部材から相互に接近する方向に延びる１対の受け片と、筐体および収容ユニットの他方に連結されて、筐体および収容ユニットが相互に接近する際に受け片に受け止められる押し付け部材と、筐体および収容ユニットの間に挟み込まれ、筐体および収容ユニットが相互に接近する際に弾性変形する弾性部材とを備え、筐体および収容ユニットが相互に接近する際に、押し付け部材から受け片に加わる押し付け力が所定値を超えると、弾性支持部材の座屈が引き起こされて押し付け部材は受け片から離脱することを特徴とする電子機器。
【００６６】
（付記１４）  付記１３に記載の電子機器において、前記受け片は、前記押し付け部材の移動方向に直交する平面内に規定される揺動軸回りで揺動自在に前記弾性支持部材に連結され、筐体および収容ユニットが相互に接近する際に前記押し付け部材が受け片に受け止められると揺動軸回りに受け片の第１方向の揺動は規制され、筐体および収容ユニットが相互に離される際に前記押し付け部材が受け片に接触すると揺動軸回りに第１方向に反対向きの第２方向に受け片の揺動は許容されることを特徴とする電子機器。
【００６７】
（付記１５）  付記１３に記載の電子機器において、前記弾性支持部材、前記受け片および前記押し付け部材は一体化されることを特徴とする電子機器。
【図面の簡単な説明】
【００６８】
【図１】本発明の一実施形態に係る電子機器すなわち携帯型の音楽プレイヤーの外観を示す斜視図である。
【図２】本発明の第１実施形態に係る音楽プレイヤーの構造を概略的に示す分解斜視図である。
【図３】図１の３−３線に沿った垂直断面図である。
【図４】一具体例に係る弾性部材の構造を概略的に示す部分拡大断面図である。
【図５】ばねの変形量と衝撃力との関係を示すグラフである。
【図６】筐体に衝撃荷重が作用する様子を概略的に示す部分拡大断面図である。
【図７】弾性部材が衝撃エネルギーを吸収する様子を概略的に示す部分拡大断面図である。
【図８】本発明の第２実施形態に係る音楽プレイヤーの構造を概略的に示す垂直断面図である。
【図９】筐体に衝撃荷重が作用する様子を概略的に示す部分拡大断面図である。
【図１０】弾性部材が衝撃エネルギーを吸収する様子を概略的に示す部分拡大断面図である。
【図１１】本発明の第３実施形態に係る音楽プレイヤーの構造を概略的に示す斜視図である。
【図１２】筐体に衝撃荷重が作用する様子を概略的に示す部分拡大断面図である。
【図１３】弾性部材が衝撃エネルギーを吸収する様子を概略的に示す部分拡大断面図である。
【図１４】本発明の第４実施形態に係る音楽プレイヤーの構造を概略的に示す垂直断面図である。
【図１５】弾性支持部材、受け片および押し付け部材の構造を概略的に示す部分拡大断面図である。
【図１６】筐体に衝撃荷重が作用する様子を概略的に示す部分拡大断面図である。
【図１７】弾性支持部材の座屈に基づき押し付け部材が受け片から離脱する様子を概略的に示す部分拡大断面図である。
【図１８】弾性支持部材の座屈の解消に基づき受け片が基準位置に復帰する様子を概略的に示す部分拡大断面図である。
【図１９】押し付け部材との接触に基づき受け片が第２方向に揺動する様子を概略的に示す部分拡大断面図である。
【図２０】一変形例に係る弾性部材の構造を概略的に示す部分拡大断面図である。
【図２１】押し付け部材が受け片に接触する様子を概略的に示す部分拡大断面図である。
【図２２】弾性支持部材の座屈に基づき押し付け部材が受け片から離脱する様子を概略的に示す部分拡大断面図である。
【図２３】押し付け部材が受け片に接触する様子を概略的に示す部分拡大断面図である。
【図２４】押し付け部材との接触に基づき受け片が第２方向に揺動する様子を概略的に示す部分拡大断面図である。
【符号の説明】
【００６９】
１１  電子機器（音楽プレイヤー）、１２  筐体、１７  収容ユニット（ハードディスク駆動装置）、２２  弾性部材、２３  第１接触面、２４  第２接触面、３１  弾性部材、３２  押し付け部材、３５  弾性支持部材、３６  受け片、Ｇ１  第１接触面の図心、Ｇ２  第２接触面の図心、Ｇ３  断面の図心、Ｌ  直線、Ｐ  仮想平面、Ｎ  交点、Ｘ  揺動軸、Ｄ１  第１方向、Ｄ２  第２方向。
【図１】
2009187614.tif 000003
【図２】
2009187614.tif 000004
【図３】
2009187614.tif 000005
【図４】
2009187614.tif 000006
【図５】
2009187614.tif 000007
【図６】
2009187614.tif 000008
【図７】
2009187614.tif 000009
【図８】
2009187614.tif 000010
【図９】
2009187614.tif 000011
【図１０】
2009187614.tif 000012
【図１１】
2009187614.tif 000013
【図１２】
2009187614.tif 000014
【図１３】
2009187614.tif 000015
【図１４】
2009187614.tif 000016
【図１５】
2009187614.tif 000017
【図１６】
2009187614.tif 000018
【図１７】
2009187614.tif 000019
【図１８】
2009187614.tif 000020
【図１９】
2009187614.tif 000021
【図２０】
2009187614.tif 000022
【図２１】
2009187614.tif 000023
【図２２】
2009187614.tif 000024
【図２３】
2009187614.tif 000025
【図２４】
2009187614.tif 000026